(57)【要約】【課題】後処理装置で冊子化した際の、各ページに於ける画像欠け、見栄の悪化等の問題を解決し、完成した冊子の各ページの見栄を良くする。【解決手段】シート材を後処理することを考慮して画像形成が可能な画像形成手段を有する画像形成装置において、後処理対象となるシート材のシート数を検知するシート数検知手段と、前記画像形成手段での画像形成時の綴じ代を調整するための綴じ代調整手段と、複数の後処理モードの中から任意のモードを選択するモード選択手段とを備え、前記画像形成手段は、前記シート数検知手段により検知されたシート数と前記モード選択手段により選択された後処理モードに応じて、前記綴じ代調整手段による綴じ代を調整して画像形成を行う構成にしたことを特徴とする画像形成装置。【選択図】　　　　図１
2004066582.tif 000002
【特許請求の範囲】
【請求項１】
シート材を後処理することを考慮して画像形成が可能な画像形成手段を有する画像形成装置において、
後処理対象となるシート材のシート数を検知するシート数検知手段と、
前記画像形成手段での画像形成時に綴じ代を調整するための綴じ代調整手段と、複数の後処理モードの中から任意のモードを選択するモード選択手段とを備え、前記画像形成手段は、前記シート数検知手段により検知されたシート数と前記モード選択手段により選択された後処理モードに応じて、前記綴じ代調整手段による綴じ代を調整して画像形成を行う構成にしたことを特徴とする画像形成装置。
【請求項２】
シート材を後処理することを考慮して画像形成が可能な画像形成手段を有する画像形成装置において、
後処理対象となるシート材のシート数を検知するシート数検知手段と、
後処理対象となるシート材のシート情報を入力するシート情報入力手段と、
前記画像形成手段での画像形成時に綴じ代を調整するための綴じ代調整手段と、
複数の後処理モードの中から任意のモードを選択するモード選択手段とを備え、
前記画像形成手段は、前記シート情報入力手段により入力されたシート情報と前記シート数検知手段により検知されたシート数と前記モード選択手段により選択された後処理モードに応じて、前記綴じ代調整手段による綴じ代を調整して画像形成を行う構成にしたことを特徴とする画像形成装置。
【請求項３】
シート材を後処理することを考慮して画像形成が可能な画像形成手段を有する画像形成装置において、
後処理対象となるシート材のシート数を検知するシート数検知手段と、
前記画像形成手段での画像形成時に綴じ代を調整するための綴じ代調整手段と、
複数の後処理モードの中から任意のモードを選択するモード選択手段と、
画像サイズを変更して画像形成する画像サイズ変更手段とを備え、
前記画像形成手段は、前記モード選択手段により選択された後処理モードに応じて、綴じ代領域の算出方法を変えると共に、前記シート数検知手段により検知されたシート数に応じて、綴じ代領域を調整して画像形成を行う構成にしたことを特徴とする画像形成装置。
【請求項４】
画像サイズを変更して画像形成する画像サイズ変更手段を有し、前記画像形成手段は、前記綴じ代調整手段により調整された綴じ代に応じて、前記画像サイズ変更手段で画像サイズを変更することを特徴とする請求項１及至２記載の画像形成装置。
【請求項５】
前記綴じ代調整手段は、前記モード選択手段により選択された後処理モードに応じて綴じ代を調整する際の綴じ代の算出方法を変更可能としたことを特徴とする請求項１または２記載の画像形成装置。
【請求項６】
前記後処理モードは、製本に関するモードであることを特徴とする請求項１及至３記載の画像形成装置。
【請求項７】
前記後処理モードは、コーナーステイプル、ダブルステイプル、中綴じ、糊付け、の内のいずれか、または複数であることを特徴とした、請求項６記載の画像形成装置。
【請求項８】
自動原稿送り装置を有し、該自動原稿送り装置にて原稿の枚数をカウントし、そのカウント結果に応じて、前記シート数検知手段がシート数を計数することを特徴とした、請求項１及至３に記載の画像形成装置。
【請求項９】
画像データを受信可能な情報処理装置を有し、前記情報処理装置が受信した情報を元に前記シート数検知手段がシート数を計数することを特徴とした請求項１及至３に記載の画像形成装置。
【請求項１０】
前記シート情報入力手段で入力されるシート情報は、シート種またはシートの重さ、あるいはシートの硬さ、シートの厚みのいずれか、または複数であることを特徴とした請求項２に記載の画像形成装置。
【請求項１１】
後処理することを考慮して、所定シート数毎に異なる綴じ代で画像形成する自動綴じ代調整モードと、綴じ代を固定値とした綴じ代固定モードとが選択可能なことを特徴とした請求項１及至３に記載の画像形成装置。
【請求項１２】
前記動作モード選択手段に於いて、コーナーステイプルが選択された際は、２枚目以降、徐々に綴じ代を広げていくことを特徴とした請求項７に記載の画像形成装置。
【請求項１３】
前記動作モード選択手段に於いて、コーナーステイプルが選択された際は、２枚目以降、徐々に綴じ代を広げていくと共に、綴じ代の拡大に合わせ画像領域を変更していくことを特徴とした請求項１２に記載の画像形成装置。
【請求項１４】
前記動作モード選択手段に於いて、ダブルステイプルが選択された際は、真中頁に向けて綴じ代を広げていき、真中頁以降最終頁に向けて綴じ代を狭めて行くことを特徴とした請求項７に記載の画像形成装置。
【請求項１５】
前記動作モード選択手段に於いて、ダブルステイプルが選択された際は、真中頁に向けて綴じ代を広げていき、真中頁以降最終頁に向けて綴じ代を狭めて行いくと共に、綴じ代の大きさに合わせて画像領域を変更することを特徴とした請求項１４に記載の画像形成装置。
【請求項１６】
前記動作モード選択手段に於いて、中綴じが選択された際は、完成冊子の中央頁の綴じ代を最も小さくし、始頁、終頁に向けて綴じ代を広げていくことを特徴とした請求項７に記載の画像形成装置。
【請求項１７】
前記動作モード選択手段に於いて、中綴じが選択された際は、完成冊子の中央頁の綴じ代を最も小さくし、始頁、終頁に向けて綴じ代を広げていくと共に、綴じ代の大きさに合わせて画像領域を変更することを特徴とした請求項１６に記載の画像形成装置。
【請求項１８】
前記動作モード選択手段に於いて、糊付けが選択された際は、真中頁に向けて徐々に綴じ代を広げていき、真中頁以降最終頁に向けて綴じ代を狭めて行くことを特徴とした請求項７に記載の画像形成装置。
【請求項１９】
前記動作モード選択手段に於いて、糊付けが選択された際は、真中頁に向けて徐々に綴じ代を広げていき、真中頁以降最終頁に向けて綴じ代を狭めて行くと共に、綴じ代の大きさに合わせて画像領域を変更することを特徴とした請求項１８に記載の画像形成装置。
【請求項２０】
考慮する後処理が前記後処理モードより中綴じモードが選択された際、後処理後の冊子端部を裁断し各シートの端部位置を揃える処理とすると、端部裁断するかどうかを選択可能とし、端部裁断が選択された際は、画像の縮小率を一定のまま画像形成を行う事を特徴とした請求項７に記載の画像形成装置。
【請求項２１】
前記画像形成装置が、後処理手段を有することを特徴とする請求項１及至３に記載の画像形装置。
【発明の詳細な説明】
【０００１】
【発明の属する技術分野】
本発明は、後処理機能を有する電子写真複写機、プリンタ、ファクシミリ等の画像形成装置に関し、特に綴じ代が調整可能な画像形成装置に関するものである。
【０００２】
【従来の技術】
近年、後処理モードを有する複写機、プリンターが増加してきている。この後処理モードでは、例えば、図１７の様に、（ａ）用紙の角部を綴じるコーナー（シングルステイプル）、（ｂ）用紙の端部の複数箇所を綴じるダブル（ダブルステイプル）、（ｃ）用紙の中央部を綴じ、中央部で折り畳み冊子化する中綴じ（サドルステッチ）、（ｄ）用紙の端部を糊付けし背表紙を貼り付け冊子化する糊付け等、用紙のサイズや向きで様々な後処理モードが存在する。そして、これらのモードの複数モードの機能を有する後処理装置が増加してきている。これら後処理モードを実行する際は、後処理の為の綴じ代を設ける必要がある。そして、さらに後処理後の冊子の品位を向上させ、各ページを開いた際の見栄えを同等化する為に綴じ代を調整する手法が知られている。
【０００３】
例えば、図１８の様に、ダブルステイプルや背表紙糊付けの場合に冊子のページ数のほぼ半分まで用紙の綴じ代幅が徐々に大きくなるように、かつ、ほぼ半分を越えたページから用紙の綴じ代幅を徐々に小さくなるように用紙の綴じ代幅を決定し、綴じ代幅に応じて用紙上における画像記録位置を変更し、綴じ位置近傍の画像の見栄を良くする手法がある。
【０００４】
また、図１９の様に中央綴じの後処理機の場合に、冊子化した状態で中央ページとなる用紙の綴じ代領域を一番小さくし（図中▲２▼）、端ページに近づくにつれて綴じ代領域を拡大（図中▲３▼）すると共に画像領域をシフトし、綴じ位置近傍の画像の見栄を良くする手法もある。
【０００５】
さらに、図２０（ａ）の様に中央綴じの後処理機に於いて、冊子化後に端部の用紙をカットする場合に、用紙端部からの画像領域位置を一定に保つため、図２０（ｂ）の様に綴じ代領域は一定のまま、冊子化した状態で端ページとなる用紙の用紙端余白領域を一番小さくし、中央ページに近づくにつれて用紙端余白領域を拡大すると共に、画像領域サイズを縮小することで、用紙端部の画像の見栄を良くするという手法もある。
【０００６】
【発明が解決しようとする課題】
図１８による綴じ代調整の場合は、用紙枚数が増加した場合、中ページに於いて画像欠けが発生したり、仮に最大綴じ代量を規定した場合は中ページでの見栄が悪くなると言う問題が発生する。また図１９による綴じ代調整の場合は、用紙枚数が増加した場合、冊子の端ページに於いて画像欠けが発生したり、仮に最大綴じ代量を規定した場合は端ページでの見栄が悪くなると言う問題が発生する。さらに図２０による端部余白調整の場合は、端部の見栄を良くすることは可能だが、中央付近（ステイプル位置付）の画像の見栄が悪いと言う問題がある。
【０００７】
また、近年、上記複数のモードの機能を有する後処理装置が増加してきている。一方で後処理可能な用紙枚数も増加している。そして、後処理モードにより各ページの開き方や見え方が異なるため、全ての後処理モードに対し完成した冊子の各ページの見栄を良くするためには後処理モードそれぞれに対し最適な綴じ代調整方法が必要となってきた。さらに、用紙はその種類によって厚みや硬さが異なるため、用紙種に応じた綴じ代調整の補正も必要となっている。
【０００８】
そこで、本発明の課題は、上記画像欠け、見栄の悪化の問題を解決し、後処理モードそれぞれに対し最適な綴じ代調整方法を選択し、全ての後処理モードに対し完成した冊子の各ページの見栄を良くすることを可能とする画像形成装置を提供することにある。
【０００９】
【課題を解決するための手段】
以上の課題を解決するために、本発明の請求項１に於いては、シート材を後処理することを考慮して画像形成が可能な画像形成手段を有する画像形成装置において、後処理対象となるシート材のシート数を検知するシート数検知手段と、前記画像形成手段での画像形成時に綴じ代を調整するための綴じ代調整手段と、複数の後処理モードの中から任意のモードを選択するモード選択手段とを備え、前記画像形成手段は、前記シート数検知手段により検知されたシート数と前記モード選択手段により選択された後処理モードに応じて、前記綴じ代調整手段による綴じ代を調整して画像形成を行う構成にしたことを特徴とする。
【００１０】
請求項２に於いては、シート材を後処理することを考慮して画像形成が可能な画像形成手段を有する画像形成装置において、後処理対象となるシート材のシート数を検知するシート数検知手段と、後処理対象となるシート材のシート情報を入力するシート情報入力手段と、前記画像形成手段での画像形成時に綴じ代を調整するための綴じ代調整手段と、複数の後処理モードの中から任意のモードを選択するモード選択手段とを備え、前記画像形成手段は、前記シート情報入力手段により入力されたシート情報と前記シート数検知手段により検知されたシート数と前記モード選択手段により選択された後処理モードに応じて、前記綴じ代調整手段による綴じ代を調整して画像形成を行う構成にしたことを特徴とする画像形成装置。
【００１１】
請求項３に於いては、シート材を後処理することを考慮して画像形成が可能な画像形成手段を有する画像形成装置において、後処理対象となるシート材のシート数を検知するシート数検知手段と、前記画像形成手段での画像形成時に綴じ代を調整するための綴じ代調整手段と、複数の後処理モードの中から任意のモードを選択するモード選択手段と、画像サイズを変更して画像形成する画像サイズ変更手段とを備え、前記画像形成手段は、前記モード選択手段により選択された後処理モードに応じて、綴じ代領域の算出方法を変えると共に、前記シート数検知手段により検知されたシート数に応じて、綴じ代領域を調整して画像形成を行う構成にしたことを特徴とする。
【００１２】
請求項４に於いては、画像サイズを変更して画像形成する画像サイズ変更手段を有し、前記画像形成手段は、前記綴じ代調整手段により調整された綴じ代に応じて、前記画像サイズ変更手段で画像サイズを変更することを特徴とする。
【００１３】
請求項５に於いては、前記綴じ代調整手段は、前記モード選択手段により選択された後処理モードに応じて綴じ代を調整する際の綴じ代の算出方法を変更可能としたことを特徴とする。
【００１４】
請求項６に於いては、前記後処理モードは、製本に関するモードであることを特徴とする。
【００１５】
請求項７に於いては、前記後処理モードは、コーナーステイプル、ダブルステイプル、中綴じ、糊付け、の内のいずれか、または複数であることを特徴とする。
【００１６】
請求項８に於いては、自動原稿送り装置を有し、該自動原稿送り装置にて原稿の枚数をカウントし、そのカウント結果に応じて、前記シート数検知手段がシート数を計数することを特徴とする。
【００１７】
請求項９に於いては、画像データを受信可能な情報処理装置を有し、前記情報処理装置が受信した情報を元に前記シート数検知手段がシート数を計数することを特徴とする。
【００１８】
請求項１０に於いては、前記シート情報入力手段で入力されるシート情報は、シート種またはシートの重さ、あるいはシートの硬さ、シートの厚みのいずれか、または複数であることを特徴とする。
【００１９】
請求項１１に於いては、後処理することを考慮して、所定シート数毎に異なる綴じ代で画像形成する自動綴じ代調整モードと、綴じ代を固定値とした綴じ代固定モードとが選択可能なことを特徴とする。
【００２０】
請求項１２に於いては、前記動作モード選択手段に於いて、コーナーステイプルが選択された際は、２枚目以降、徐々に綴じ代を広げていくことを特徴とする。
【００２１】
請求項１３に於いては、前記動作モード選択手段に於いて、コーナーステイプルが選択された際は、２枚目以降、徐々に綴じ代を広げていくと共に、綴じ代の拡大に合わせ画像領域を変更していくことを特徴とする。
【００２２】
請求項１４に於いては、前記動作モード選択手段に於いて、ダブルステイプルが選択された際は、真中頁に向けて綴じ代を広げていき、真中頁以降最終頁に向けて綴じ代を狭めて行くことを特徴とした請求項７に記載の画像形成装置。
【００２３】
請求項１５に於いては、前記動作モード選択手段に於いて、ダブルステイプルが選択された際は、真中頁に向けて綴じ代を広げていき、真中頁以降最終頁に向けて綴じ代を狭めて行いくと共に、綴じ代の大きさに合わせて画像領域を変更することを特徴とする。
【００２４】
請求項１６に於いては、前記動作モード選択手段に於いて、中綴じが選択された際は、完成冊子の中央頁の綴じ代を最も小さくし、始頁、終頁に向けて綴じ代を広げていくことを特徴とする。
【００２５】
請求項１７に於いては、前記動作モード選択手段に於いて、中綴じが選択された際は、完成冊子の中央頁の綴じ代を最も小さくし、始頁、終頁に向けて綴じ代を広げていくと共に、綴じ代の大きさに合わせて画像領域を変更することを特徴とする。
【００２６】
請求項１８に於いては、前記動作モード選択手段に於いて、糊付けが選択された際は、真中頁に向けて徐々に綴じ代を広げていき、真中頁以降最終頁に向けて綴じ代を狭めて行くことを特徴とする。
【００２７】
請求項１９に於いては、前記動作モード選択手段に於いて、糊付けが選択された際は、真中頁に向けて徐々に綴じ代を広げていき、真中頁以降最終頁に向けて綴じ代を狭めて行くと共に、綴じ代の大きさに合わせて画像領域を変更することを特徴とする。
【００２８】
請求項２０に於いては、考慮する後処理が前記後処理モードより中綴じモードが選択された際、後処理後の冊子端部を裁断し各シートの端部位置を揃える処理とすると、端部裁断するかどうかを選択可能とし、端部裁断が選択された際は、画像の縮小率を一定のまま画像形成を行う事を特徴とする。
【００２９】
請求項２１に於いては、前記画像形成装置が、後処理手段を有することを特徴とする。
【００３０】
【発明の実施の形態】
以下、図面を参照して本発明の実施形態を説明する。図１は、デジタル複写機の一例の構成を示す断面図である。図１において、２００はデジタル複写機本体（以下、本体という）、６は自動原稿送り装置（ＤＦ）である。２０１は原稿載置台としてのプラテンガラス、２０２はスキャナで、原稿照明ランプ２０３や走査ミラー２０４等で構成されている。原稿は、不図示のモータによって駆動されるスキャナで往復走査され、その反射光は走査ミラー２０４〜２０６を介してレンズ２０７を透過し、イメージセンサ部２０８内のＣＣＤセンサに結像する。２０９はレーザやポリゴンスキャナ等で構成された露光制御部で、イメージセンサ部２０８で電気信号に変換され、後述する所定の画像処理が行われた画像信号に基づいて変調されたレーザ光２１９を感光体ドラム２１１に照射する。
【００３１】
感光体ドラム２１１の周りには、１次帯電器２１２、現像器２１３、転写帯電器２１６、前露光ランプ２１４、クリーニング装置２１５が装備されている。画像形成部２１０においては、感光体ドラム２１１は、不図示のモータにより矢印方向に回転しており、１次帯電器２１２により所望の電位に帯電された後、露光制御部２０９からのレーザ光２１９が照射され、その上に静電潜像が形成される。感光体ドラム２１１上に形成された静電潜像は、現像器２１３により現像されて、トナー像として可視化される。
【００３２】
一方、右カセットデッキ２２１、左カセットデッキ２２２、上段カセット２２３あるいは下段カセット２２４からピックアップローラ２２５、２２６、２２７、２２８により給紙された転写紙は、給紙ローラ２２９、２３０、２３１、２３２により本体２００に送られ、レジストローラ２３３により転写ベルトに給送され、可視化されたトナー像が転写帯電器２１６により転写紙に転写される。転写後の感光体ドラム２１１は、クリーナー装置２１５により残留トナーが清掃され、前露光ランプ２１４により残留電荷が消去される。転写後の転写紙は、分離帯電器２１７によって感光体ドラム２１１から分離され、転写ベルト２３４によって定着器２３５に送られる。定着器２３５では加圧、加熱により定着され、排出ローラ２３６により本体２００の外に排出される。
【００３３】
本体２００には、例えば、４０００枚の転写紙を収納し得るデッキ２５０が装備されている。デッキ２５０のリフタ２５１は、転写紙がピックアップローラ２５２に常に当接するように転写紙の量に応じて上昇し、転写紙は給紙ローラ２５３によって本体２００に送られる。また、１００枚の転写紙を収容し得るマルチ手差し２５４も装備されている。
【００３４】
２３７は排紙フラッパであり、搬送パス２３８側と排出パス２４３側の経路を切り替える。２４０は下搬送パスであり、排紙ローラ２３６から送り出された転写紙を反転パス２３９を介し、転写紙を裏返して再給紙パス２４１に導く。左カセットデッキ２２２から給紙ローラ２３０により給紙された転写紙も、再給紙パス２４１に導かれる。２４２は転写紙を画像形成部２１０に再給紙する再給紙ローラである。２４４は排紙フラッパ２３７の近傍に配置された排出ローラで、排紙フラッパ２３７により排出パス２４３側に切り替えられた転写紙を機外に排出する。
【００３５】
両面記録（両面複写）時には、排紙フラッパ２３７を上方に上げて、複写済みの転写紙を搬送パス２３８、反転パス２３９、下搬送パス２４０を介して再給紙パス２４１に導く。このとき、転写紙は、その後端が反転ローラ２４５によって搬送パス２３８から全て抜け出し、反転ローラ２４５に転写紙が噛まれた状態の位置まで反転パス２３９に引き込まれ、反転ローラ２４５を逆転させると、搬送パス２４０に送り出される。
【００３６】
本体２００から転写紙を反転させて排出する時には、排紙フラッパ２３７を上方へ上げ、反転ローラ２４５によって転写紙を、その後端が搬送パス２３８に残った状態の位置まで反転パス２３９に引き込んでから、反転ローラ２４５を逆転させると、転写紙は裏返しにされて排出ローラ２４４側に送り出される。２９０は本体２００から排出した転写紙を後処理する排紙処理装置である。この装置により、コーナーステイプル、ダブルステイプル、中綴じ、糊付け等の後処理を行う。
【００３７】
図２は、本体２００内の制御部のブロック図である。１７１は本体２００の基本制御を行うＣＰＵであり、制御プログラムが書き込まれたＲＯＭ１７４と処理を行うためのワークＲＡＭ１７５と入出力ポート１７３がアドレスバス、データバスにより接続されている。入出力ポート１７３には、本体２００を制御する、モータ、クラッチ等の各種負荷（不図示）や、紙の位置を検知するセンサー等の入力（不図示）が接続されている。ＣＰＵ１７１は、ＲＯＭ１７４の内容にしたがって入出力ポート１７３を介して順次入出力の制御を行い画像形成動作を実行する。また、ＣＰＵ１７１は、操作部１７２が接続されており、操作部１７２の表示手段、キー入力手段を制御する。操作者は、キー入力手段を介して、画像形成動作モードや、スキャナ読み取りモード、プリント出力モードの表示の切り替えをＣＰＵ１７１に指示し、ＣＰＵ１７１は本体２００の状態や、キー入力による動作モード設定の表示を行う。排紙処理装置の処理モード選択等もキー入力手段を介して実行される。ＣＰＵ１７１には、イメージセンサ部２０８で電気信号に変換された信号を処理する画像処理部１７０と、処理された画像を蓄積する画像メモリ部３が接続されている。
【００３８】
次に、画像処理部１７０を詳細説明する。図３は、その画像処理部のブロック図である。レンズ２０７を介しイメージセンサ部２０８のＣＣＤセンサに結像された原稿画像は、Ｂｌａｃｋの輝度のデータとして入力され、ＣＣＤセンサによりアナログ電気信号に変換される。変換された画像情報は、アナログ信号処理部（不図示）に入力され、サンプル＆ホールド、ダークレベルの補正等が行われた後に、Ａ／Ｄ変換部５０１でアナログ・デジタル変換（Ａ／Ｄ変換）される。デジタル化された信号は、シェーディング補正（原稿を読み取るセンサのばらつき、および原稿照明用ランプの配光特性の補正）されて、ｌｏｇ変換部５０２に送られる。ｌｏｇ変換部５０２では、この中に入力された輝度データを濃度データに変換するためのＬＵＴが格納されていて、入力されたデータに対応するテーブル値を出力することによって、輝度データを濃度データに変換する。画像は、その後、変倍処理部５０３により所望の倍率に変倍されて、γ補正部５０４に入力される。γ補正部５０４では、濃度データを出力する際に、プリンタの特性を考慮したＬＵＴによる変換を行い、操作部１７２で設定された濃度値に応じた出力の調整を行う。その後、２値化部５０５へ送られる。２値化部５０５では、多値の濃度データが２値化され、濃度値が「０」あるいは「２５５」となる。８ｂｉｔの画像データは、２値化され、「０」または「１」の１ｂｉｔの画像データに変換され、メモリに格納する画像データ量は小さくなる。
【００３９】
しかし、画像を２値化すると、画像の階調数は２５６階調から２階調になるため、写真画像のような中間調の多い画像データは、２値化すると一般に画像の劣化が著しい。そこで、２値データによる擬似的な中間調表現をする必要がある。ここでは、２値データで擬似的に中間調表現を行う手法として誤差拡散法を用いる。この方法は、ある画像の濃度がある敷居値より大きい場合は、「２５５」の濃度データであるとし、ある敷居値以下である場合は、「０」の濃度データであるとして２値化した後、実際の濃度データと２値化されたデータの差分を誤差信号として、回りの画素に配分する方法である。誤差の配分は、あらかじめ用意されているマトリクス上の重み係数を、２値化によって生じる誤差に対して掛け合わせ、回りの画素に加算することによって行う。これによって、画像全体での濃度平均値が保存され、中間調を擬似的に２値で表現することができる。２値化された画像データは、画像メモリ部３へ送られ、画像蓄積される。また、外部Ｉ／Ｆ処理部４から入力されるコンピュータからの画像データは、外部Ｉ／Ｆ処理部４で２値画像データとして処理されているため、そのまま画像メモリ部３に送られる。画像メモリ部３は、高速のページメモリと複数のページ画像データを蓄積できる大容量のメモリ（ハードディスク）を有している。
【００４０】
ハードディスクに格納された複数の画像データは、本体２００の操作部で指定された編集モードに応じた順序で出力される。例えば、ソートの場合、ＤＦ６から読み取った原稿束の画像を順に出力する。ハードディスクから一旦格納された原稿の画像データを読み出し、これを複数回繰り返して出力する。これにより、ビンが複数あるソータと同じ役割を果たすことができる。画像メモリ部３から出力した画像データは、プリンタ部２にあるスムージング部５０６に送られる。スムージング部５０６では、２値化した画像の線端部が滑らかになるようにデータの補間を行い、露光制御部２０９へ画像データを出力する。露光制御部２０９では前述の処理により画像データを転写紙に形成する。
【００４１】
次に、画像メモリ部３を詳細に説明する。図４は、その画像メモリ部３のブロック図である。画像メモリ部３では、ＤＲＡＭ等のメモリで構成されるページメモリ部３０１に、メモリコントローラ部３０２を介して外部Ｉ／Ｆ処理部４及び画像処理部１７０からの２値画像の書き込みと、外部Ｉ／Ｆ処理部４及びプリンタ部２への画像読み出しと、大容量の記憶装置であるハードディスク３０４への画像の入出力のアクセスを行う。メモリコントローラ部３０２は、ページメモリ部３０１のＤＲＡＭリフレッシュ信号の発生を行う。また、画像Ｉ／Ｆ処理部４、画像処理部１７０、ハードディスク３０４からページメモリ３０１へのアクセスの調停を行う。さらに、ＣＰＵ１７１の指示に従い、ページメモリ部３０１への書き込みアドレス、ページメモリ部３０１からの読み出しアドレス、読み出し方向などの制御をする。これにより、ＣＰＵ１７１は、ページメモリ部３０１に複数の原稿画像をならべてレイアウトを行い、プリンタ部２に出力する機能や、画像の一部分のみ切り出して出力する機能や、画像回転機能を制御する。
【００４２】
次に、外部Ｉ／Ｆ処理部４の構成を詳細に説明する。図５はその外部Ｉ／Ｆ処理部４のブロック図である。外部Ｉ／Ｆ処理部４は、前述したように、画像メモリ部３を介して、リーダ部１の２値画像データを外部Ｉ／Ｆ処理部に取り込み、また、画像メモリ部３を介して、外部Ｉ／Ｆ処理部４からの２値画像データをプリンタ部２へ出力して画像形成を行う。外部Ｉ／Ｆ処理部４には、コア部４０６とファクシミリ部４０１、ファクシミリ部の通信画像データを保存するハードディスク４０２、外部コンピュータ１１と接続するコンピュータインターフェイス部４０３と、フォーマッタ部４０４、イメージメモリ部４０５を有している。ファクシミリ部４０１は、モデム（不図示）を介して公衆回線と接続されており、公衆回線からのファクシミリ通信データの受信と、公衆回線へのファクシミリ通信データの送信を行う。ファクシミリ部４０１では、ファクシミリ機能である、指定された時間にファックス送信を行ったり、相手から指定パスワードの問い合わせで画像データを送信するなどハードディスク４０２にファクス用の画像を保存して処理を行う。これにより、一度リーダ部１から画像メモリ部３を介して、ファクシミリ部４０１、ファクシミリ用のハードディスク４０２へ画像を転送した後は、リーダ部１、画像メモリ部３をファクシミリ機能に使うことなしに、ファックス送信を行うことができる。
【００４３】
コンピュータインターフェイス部４０３は、外部のコンピュータ１１とのデータ通信を行うインターフェイス部であり、ローカルエリアネットワーク（以下、ＬＡＮ）、シリアルＩ／Ｆ、ＳＣＳＩＩ／Ｆ、プリンタのデータ入力用のセントロＩ／Ｆなどを持つ。このＩ／Ｆを介して、プリンタ部２、リーダ部１の状態を外部コンピュータ１１に通知したり、コンピュータの指示でリーダ部１で読み取った画像を外部コンピュータへ転送したりする。また、外部コンピュータからプリント画像データを受け取ったりする。外部コンピュータからコンピュータインターフェイス部４０３を介して通知されるプリントデータは、専用のプリンタコードで記述されているため、フォーマッタ部４０４はそのコードを画像メモリ部３を介してプリンタ部２で画像形成を行うラスターイメージデータに変換する。フォーマッタ部４０４はラスターイメージデータの展開をイメージメモリ部４０５に行う。イメージメモリ部は、このようにフォーマッタ部４０４がラスターイメージデータの展開するメモリとして使用したり、また、リーダ部１の画像をコンピュータインターフェイス部４０３を介して外部コンピュータに送る（画像スキャナ機能）場合に、画像メモリ部３から送られる画像データをイメージメモリ部４０５に一度展開し、外部コンピュータに送るデータの形式に変換してコンピュータインターフェイス部４０３からデータを送出するような場合においても使用される。コア部４０６は、ファクシミリ部４０１、コンピュータインターフェイス部４０３、フォーマッタ部４０４、イメージメモリ部４０５、画像メモリ部３間それぞれのデータ転送を制御管理する。これにより、外部Ｉ／Ｆ処理部４に複数の画像出力部があっても、画像メモリ部３への画像転送路が一つであっても、コア部４０６の管理のもと、排他制御、優先度制御がなされて画像出力が行われる。
【００４４】
上記の様な画像形成装置に於いて、操作部１７２で後処理モードが選択された際、それぞれの後処理モードに於ける、綴じ代と画像サイズの算出方法について説明する。図１７（ａ）の様なコーナーステイプルの場合の綴じ代、画像サイズの算出方法の一例を図６（ａ）〜（ｅ）を用いて説明する。
【００４５】
図６（ａ）はＡ４用紙の左上コーナーステイプルの完成冊子（シート枚数ｍ）の絵である。図６（ｂ）はその１枚目をめくった様子であり、図６（ｃ）がｎ−１枚目をめくった様子である。図６（ｃ）の様にｎ枚目の画像を見るためにはステイプル箇所に（ｎ−１）枚分のシートによる画像不可視領域が発生する。その為、所望の画像全体を可視領域に形成し、見栄えを良くするためには各出力シート毎に綴じ代の調整と画像サイズの調整が必要であり、図６（ｄ）に示す様な綴じ代の調整と画像サイズの調整を行う。図６（ｄ）で太線で示したのが用紙サイズであり、その左側には図６（ａ）のｘ方向から見た綴じ代領域の変化を、上側には図６（ａ）のｙ方向から見た綴じ代領域の変化を示している。図６（ｅ）は図６（ｄ）のステイプル箇所付近の拡大図である。１枚目の綴じ代領域を基準綴じ代Ｒ１とする。（綴じ代無調整の場合はこのＲ１で全出力紙に画像形成を行う）Ｒ１はコーナーステイプルモードに固有の値でありステイプル箇所により決定される。そして出力シートの厚み情報がｔ１、硬さ計数がｋ１、後処理枚数をｍ枚とした場合、ｎ枚目の綴じ代領域は図６（ｅ）の様に
Ｒ１＋√２＊ｔ１＊（ｎ−１）＊ｋ１［ｍｍ］・・・・（１）
と算出される。さらに図６（ｄ）の様に余白領域をＰ１、さらに、Ａ４用紙の長手側を２９７ｍｍを短手側を２１０ｍｍとすると、用紙の左上と右下を結ぶ対角線と上述の綴じ代領域の境界線が交わるポイントが画像領域の左上と一致するよう、つまり対角線にそって画像を縮小させる。よって、ｎ枚目の画像縮小率は図６（ｅ）の様に
（２１０−ｂ＊ｓｉｎθ２−Ｐ１）／２１０＊１００［％］（ｂ＝（（Ｒ１＋√２＊ｔ１＊（ｎ−１）＊ｋ１）／√２／ｃｏｓθ３、θ２＝ｔａｎ−１（２１０／２９７）、θ３＝１／４π−θ２＝１／４π−ｔａｎ−１（２１０／２９７））・・・・（２）
と算出される。
【００４６】
次に図１７（ｂ）の様なダブルステイプルの場合の綴じ代、画像サイズの算出方法の一例を図７（ａ）〜（ｅ）を用いて説明する。
【００４７】
図７（ａ）はＡ４用紙の左側ダブルステイプルの完成冊子（シート枚数ｍ）の絵である。図７（ｂ）はその１枚目をめくった様子であり、図７（ｃ）が丁度真ん中頁付近をめくった様子である。図７（ｃ）の様に丁度真ん中頁付近の画像を見るためにはステイプル箇所に（ｎ−１）枚分のシートによる画像不可視領域が存在する。その為、所望の画像全体を可視領域に形成し、見栄えを良くするためには各出力シート毎に綴じ代の調整と画像サイズの調整が必要である。綴じ代は図７（ｃ）の下図の様に、中央ページに向かって徐々に綴じ代を増加し、中央ページから終ページに向かって徐々に綴じ代を減少させる。その結果、図７（ｄ）に示す様な綴じ代の調整と画像サイズの調整を行う。図７（ｄ）は図７（ａ）のＸ−Ｘ‘の断面図である。図７（ｄ）の左斜線部が綴じ代領域であり、右の斜線部が後端余白であり、その間が画像領域となる。画像領域は図７（ｄ）の様に、中央ページが一番狭く、始と終ページが最大となる。図７（ｅ）は図７（ｄ）の拡大図である。１枚目の綴じ代領域を基準綴じ代Ｒ２とする。（綴じ代無調整の場合はこのＲ２で全出力紙に画像形成を行う）Ｒ２はダブルステイプルモードに固有の値でありステイプル箇所により決定される。そして出力シート厚み情報がｔ２、硬さ計数がｋ２、後処理枚数をｍ枚とした場合、ｎ枚目の綴じ代領域は図７（ｅ）の様に
ｎが１≦ｎ≦１／２＊ｍの場合はＲ２＋（ｎ−１）＊ｔ２＊ｋ２［ｍｍ］・・・・（３）
ｎが１／２＊ｍ＜ｎ≦の場合はＲ２＋（ｍ−ｎ）＊ｔ２＊ｋ２［ｍｍ］・・・・（４）
と算出される。さらに図７（ｅ）の様に余白領域をＰ２、Ａ４用紙の幅を２１０ｍｍとすると、ｎ枚目の画像縮小率は図７（ｅ）の様に、
ｎが１≦ｎ≦１／２＊ｍの場合は（２１０−Ｐ２−Ｒ２−（ｎ−１）＊ｔ２＊ｋ２）／２１０＊１００［％］・・・・（５）
ｎが１／２＊ｍ＜ｎ≦ｍの場合は（２１０−Ｐ２−Ｒ２−（ｍ−ｎ）＊ｔ２＊ｋ２）／２１０＊１００［％］・・・・（６）
と算出される。
【００４８】
次に、図１７（ｃ）の様な中綴じで端部カット有の場合の綴じ代、画像サイズの算出方法の一例を図８（ａ）〜（ｇ）を用いて説明する。
【００４９】
図８（ａ）はＡ３用紙の中央にステイプルし用紙を折る前の状態である。ｍ枚のＡ３紙が中綴じされた状態であり。矢印方向に用紙を折り畳み冊子化する。図８（ｂ）は図８（ａ）をステイプル位置をセンターに二つ折りした状態であり、端部の位置揃えのため、図８（ｂ）に示した端部カット位置で用紙をカットする。カット量は中央ページ付近が最大となり、端部ページ（ｍ）は最小となる。中央ページ（図８（ａ）の１枚目）のカット量は、全シート枚数ｍ枚から１枚目分を減じ、シートの厚みｔ３を乗じた（ｍ−１）＊ｔ３を半径とする円の１／４弧に近似される為、（π＊（ｍ−１）＊ｔ３）／２と算出できる。なおｎ枚目のカット量は、（π＊（ｍ−ｎ）＊ｔ３）／２と算出できる。
【００５０】
カットした結果を示すのが図８（ｃ）である。そして図８（ｄ）はカット後の冊子の中央ページで開いた状態である。中綴じの場合は図８（ｄ）に示すように中央ページに於いては（図８（ａ）で示す１枚目）用紙全体を見渡すことができる。しかし図８（ｅ）に示す様に１／２ｍ付近を開く場合、図８（ｄ）の左側から右側にめくったページが邪魔をして綴じ位置付近に画像の見え辛い領域が発生する。そしてこの見え辛い領域はｍ枚目を開いた状態で最大となる。ｎ枚目の見え辛い領域となるのは、（ｎ−１）枚分の厚さを半径とする円の１／４弧に近似されるので（π＊（ｎ−１）＊ｔ３）／２と算出できる。
【００５１】
よって、図８（ｆ）に示す図８（ａ）のＸ−Ｘ‘断面の様に冊子化した際に中央ページとなる１枚目の綴じ代領域を一番小さくし、端部ページに行くに従い綴じ代領域を増して行く様に、綴じ代領域を調整すれば、どのページを開いても見栄えの良い冊子が生成できる。図８（ｇ）は図８（ｆ）の拡大図である。１枚目の綴じ代領域を基準綴じ代Ｒ３とする。（綴じ代無調整の場合はこのＲ３で全出力紙に画像形成を行う）Ｒ３は中綴じモードに固有の値でありステイプル箇所により決定される。そして出力シートの厚み情報がｔ３、硬さ計数がｋ３、後処理枚数をｍ枚とした場合、ｎ枚目の綴じ代領域は図８（ｅ）の様に
Ｒ３＋（π＊（ｎ−１）＊ｔ３）／２［ｍｍ］・・・・（７）
と算出される。
【００５２】
さらに図８（ｅ）の様に余白領域をＰ２、Ａ３用紙の幅の１／２を２１０ｍｍとすると、ｎ枚目の画像縮小率は図８（ｅ）の様に、
（２１０−Ｒ３−（（π＊（ｍ−１）＊ｔ３）／２））−Ｐ３）／２１０＊１００［％］・・・（８）
と算出される。つまり画像サイズはページに関係無く固定となる。
【００５３】
次に図１７（ｃ）の様な中綴じで端部カット無の場合の綴じ代、画像サイズの算出方法の一例を図９（ａ）、（ｃ）、（ｆ）、（ｇ）を用いて説明する。図９の（ａ）、（ｃ）、（ｆ）、（ｇ）は中綴じ端部カット有の場合の図８（ａ）、（ｃ）、（ｆ）、（ｇ）と対応している。
【００５４】
図９（ａ）はＡ３用紙の中央にステイプルし用紙を折る前の状態である。ｍ枚のＡ３紙が中綴じされた状態であり。矢印方向に用紙を折り畳み冊子化する。図８（ｃ）が冊子化した状態である。そしてｎ枚目を開いた時のの見え辛い領域となるのは、中綴じ端部カット有時と同様、（ｎ−１）枚分のシートの厚さを半径とする円の１／４弧に近似されるので（π＊（ｎ−１）＊ｔ３）／２と算出できる。
【００５５】
よって、図９（ｆ）に示す図９（ａ）のＸ−Ｘ‘断面の様に、冊子化した際に中央ページとなる１枚目の綴じ代領域を一番小さくし、端部ページに行くに従い綴じ代領域を増して行く様に、綴じ代領域を調整すれば、どのページを開いても見栄えの良い冊子が生成できる。図９（ｇ）は図９（ｆ）の拡大図である。１枚目の綴じ代領域を基準綴じ代Ｒ３とする。（綴じ代無調整の場合はこのＲ３で全出力紙に画像形成を行う）Ｒ３は中綴じモードに固有の値でありステイプル箇所により決定される。そして出力シートの厚み情報がｔ３、硬さ計数がｋ３、後処理枚数をｍ枚とした場合、ｎ枚目の綴じ代領域は図９（ｅ）の様に
Ｒ３＋（π＊（ｎ−１）＊ｔ３）／２［ｍｍ］・・・・（９）
と算出される。
【００５６】
さらに図８（ｅ）の様に余白領域をＰ２、Ａ３用紙の幅の１／２を２１０ｍｍとすると、ｎ枚目の画像縮小率は図８（ｅ）の様に、
（２１０−Ｒ３−（（π＊（ｎ−１）＊ｔ３）／２）−Ｐ３）／２１０＊１００［％］・・・・（１０）
と算出される。つまり画像サイズは冊子化した際に中央ページとなる１枚目が一番大きく、端部ページに行くにつれて縮小される。
【００５７】
次に図１７（ｄ）の様な背表紙糊付けの場合の綴じ代、画像サイズの算出方法の一例を図１０（ａ）〜（ｅ）を用いて説明する。
【００５８】
図１０（ａ）はＡ４用紙の左端を糊付けし背表紙を付けた状態の完成冊子（シート枚数ｍ）の絵である。図１０（ｂ）はその１枚目をめくった様子であり、図１０（ｃ）が丁度真ん中付近をめくった様子である。図１０（ｃ）の様に丁度真ん中付近の画像を見るためには画像不可視領域が存在する。その為、所望の画像全体を可視領域に形成し、見栄えを良くするためには各出力し毎に綴じ代の調整と画像サイズの調整が必要である。綴じ代は図１０（ｃ）の下図の様に、中央ページに向かって徐々に綴じ代を増加し、中央ページから終ページに向かって徐々に綴じ代を減少させる。その結果、図１０（ｄ）に示す様な綴じ代の調整と画像サイズの調整を行う。図１０（ｄ）は図１０（ａ）のＸ−Ｘ‘の断面図である。図１０（ｄ）の左斜線部が綴じ代領域であり、右の斜線部が後端余白であり、その間が画像領域となる。画像領域は図１０（ｄ）の様に、中央ページが一番狭く、始と終ページが最大となる。図１０（ｅ）は図１０（ｄ）の拡大図である。１枚目の綴じ代領域を基準綴じ代Ｒ４とする。（綴じ代無調整の場合はこのＲ４で全出力紙に画像形成を行う）Ｒ４は背表紙糊付けモードに固有の値であり背表紙のサイズにより決定される。そして出力シートの厚み情報がｔ４、硬さ計数がｋ４、後処理枚数をｍ枚とした場合、ｎ枚目の綴じ代領域は図１０（ｅ）の様に、
ｎが１≦ｎ≦１／２＊ｍの場合はＲ４＋（ｎ−１）＊ｔ４＊ｋ４［ｍｍ］・・・・（１１）
ｎが１／２＊ｍ＜ｎ≦の場合はＲ４＋（ｍ−ｎ）＊ｔ４＊ｋ４［ｍｍ］・・・・（１２）
と算出される。さらに図１０（ｅ）の様に余白領域をＰ３、Ａ４用紙の幅を２１０ｍｍとすると、ｎ枚目の画像縮小率は図１０（ｅ）の様に、
ｎが１≦ｎ≦１／２＊ｍの場合は（２１０−Ｐ４−Ｒ４−（ｎ−１）＊ｔ４＊ｋ４）／２１０＊１００［％］・・・・（１３）
ｎが１／２＊ｍ＜ｎ≦ｍの場合は（２１０−Ｐ４−Ｒ４−（ｍ−ｎ）＊ｔ４＊ｋ４）／２１０＊１００［％］・・・・（１４）
と算出される。
【００５９】
次に、操作部１７２で後処理モードが選択された際の動作を図１１、図１２のフローチャートを用いて説明する。
【００６０】
図１１に於いて、後処理モードが選択されると、まず出力用紙情報を設定する（Ｓ１）。
【００６１】
用紙情報は元々ＲＯＭに記憶させている情報から選択する場合と、ユーザーが手動で入力する場合の２通りが有り、どちらかで入力すればよい。例えばＡ種の８０ｇ紙、Ｂ種の９０ｇ紙等と言った用紙の厚み情報と硬さ情報をＲＯＭに記憶させておき、ユーザーは実際に使用する用紙を操作部１７２のキー入力手段により選択する。そして選択された用紙に関して厚み情報ｔと硬さ計数ｋをＲＯＭより読み出して設定する。あるいは、使用する用紙の厚みと硬さを選択させる方法でも良い。例えば、用紙の厚みを、厚、普通、薄から選択させ、用紙の硬さを、硬、普通、軟から選択させる方法でも良い。そして選択結果に基づいて予めＲＯＭに設定された厚み情報ｔと硬さ計数ｋを読み出して設定する。次に、後処理（出力）枚数を設定する（Ｓ２）。複写動作の場合は自動原稿送り装置にて原稿枚数をカウントし画像形成装置の設定（片面、両面、縮小レイアウト等）を元にして後処理すべき枚数を計数し設定する。プリンタ動作の場合は、コンピュータ等から送信される情報を元に後処理すべき枚数を計数し設定する。
【００６２】
次に、綴じ代を調整するかどうかを選択する（Ｓ３）。調整するが選択されると前記用紙情報と前記後処理枚数を元に各後処理モードに応じて、各出力紙の綴じ代を自動調整する。調整しないが選択された場合は綴じ代固定値での画像形成が行われる。調整が選択された場合は、後処理モードの選択を行う。まず、ステイプルモードかどうか選択する（Ｓ４）。ステイプルモードの場合は、コーナーステイプルか（Ｓ５）、ダブルステイプルか（Ｓ８）、中綴じか（Ｓ１１）を選択する。中綴じでも無い場合は、後処理モードでは無いと判断し後処理設定モードを終了する。Ｓ４においてステイプルモードを選択しなかった場合は、背表紙糊付けモードかどうか選択する（Ｓ１６）。ここで背表紙糊付けモードを選択しない場合は、後処理モードでは無いと判断し後処理設定モードを終了する。Ｓ５に於いて、コーナーステイプルが選択された場合は、用紙情報（Ｓ１）と後処理枚数（Ｓ２）での設定を元に式（１）より各出力紙の綴じ代を算出し設定する（Ｓ６）、そして算出した各出力紙の綴じ代と式（２）より各出力紙の画像サイズを算出し設定する（Ｓ７）。そして後処理モード綴じ代設定を終了する。
【００６３】
そして、Ｓ８に於いて、ダブルステイプルが選択された場合は、用紙情報（Ｓ１）と後処理枚数（Ｓ２）での設定を元に式（３）、式（４）より各出力紙の綴じ代を算出し設定する（Ｓ９）、そして算出した各出力紙の綴じ代と式（５）、式（６）より各出力紙の画像サイズを算出し設定する（Ｓ１０）。そして後処理モード綴じ代設定を終了する。
【００６４】
そして、Ｓ１１に於いて、中綴じが選択された場合は、用紙情報（Ｓ１）と後処理枚数（Ｓ２）での設定を元に式（７）より各出力紙の綴じ代を算出し設定する（Ｓ１２）、そして、冊子端部を裁断するかどうかを選択する（Ｓ１３）、そしてカットする場合は、各出力紙の綴じ代とカット量を元に式（８）より全出力紙の画像サイズを算出し設定する（Ｓ１４）。そして後処理モード綴じ代設定を終了する。
【００６５】
また、カットしない場合は、各出力紙の綴じ代と式（１０）より各出力紙の画像サイズを算出し設定する（Ｓ１５）。そして後処理モード綴じ代設定を終了する。
【００６６】
そして、Ｓ１６にて背表紙糊付けモードが選択された際は、用紙情報（Ｓ１）と後処理枚数（Ｓ２）での設定を元に式（１１）、式（１２）より各出力紙の綴じ代を算出し設定する（Ｓ１７）、そして算出した各出力紙の綴じ代と式（１３）、式（１４）より各出力紙の画像サイズを算出し設定する（Ｓ１８）。そして後処理モード綴じ代設定を終了する。
【００６７】
そして、Ｓ３にて、調整しないが選択された場合、図１２に於いて、後処理モードの選択を行う。そしてステイプルモードかどうか選択する（Ｓ２４）。ステイプルモードの場合は、コーナーステイプルか（Ｓ２５）、ダブルステイプルか（Ｓ２８）、中綴じか（Ｓ３１）を選択する。中綴じでも無い場合は、後処理モードでは無いと判断し後処理設定モードを終了する。Ｓ２４においてステイプルモードを選択しなかった場合は、背表紙糊付けモードかどうか選択する（Ｓ３６）。ここで背表紙糊付けモードを選択しない場合は、後処理モードでは無いと判断し後処理設定モードを終了する。
【００６８】
Ｓ２５に於いて、コーナーステイプルが選択された場合は、基準綴じ代Ｒ１を綴じ代に設定（Ｓ２６）し、基準綴じ代Ｒ１と余白Ｐ１と式（２）より画像サイズを算出し設定する（Ｓ２７）。そして後処理モード綴じ代設定を終了する。
【００６９】
Ｓ２８に於いて、ダブルステイプルが選択された場合は、基準綴じ代Ｒ２を綴じ代に設定（Ｓ２９）し、基準綴じ代Ｒ２と余白Ｐ２と式（５）、式（６）より画像サイズを算出し設定する（Ｓ３０）。そして後処理モード綴じ代設定を終了する。
【００７０】
Ｓ３１に於いて、中綴じが選択された場合は、基準綴じ代Ｒ３を綴じ代に設定（Ｓ３２）、そして、冊子端部を裁断するかどうかを選択する（Ｓ３３）、そしてカットする場合は、基準綴じ代Ｒ３とカット量と余白Ｐ３と式（８）より画像サイズを算出し設定する（Ｓ３４）。そして後処理モード綴じ代設定を終了する。また、そしてカットしない場合は、基準綴じ代Ｒ３とカット量と余白Ｐ３と式（１０）より画像サイズを算出し設定する（Ｓ３５）。そして後処理モード綴じ代設定を終了する。
【００７１】
Ｓ３６に於いて、背表紙糊付けモードが選択された際はは、基準綴じ代Ｒ４を綴じ代に設定（Ｓ３７）、そして基準綴じ代Ｒ４とカット量と余白Ｐ４と式（１３）、式（１４）より画像サイズを算出し設定する（Ｓ３８）。そして後処理モード綴じ代設定を終了する。
【００７２】
後処理モード綴じ代設定が終了し他の全ての設定が完了すると、算出された綴じ代と算出された画像サイズにて各出力シートへの画像形成を開始する。なお、綴じ代の調整は、綴じ代算出値に基づき紙送りのタイミング（レジストローラ２３３のオンタイミング）や、レーザー光２１９による画像書き出しタイミングを可変することで調整可能であり、画像サイズの調整は、画像データを間引いたり補間したりの画像処理５０３、またポリゴンモータの回転速度やレーザークロック周波数、感光体ドラム２１１の回転速度等様々な調整方法があるが、いずれも周知であるため説明は省略する。
【００７３】
その結果、各後処理モードにて形成された画像は図１３，図１４、図１５（ａ）、図１５（ｂ）、図１６の様になる。図１３はコーナーステイプル時の始頁、中頁、終頁の用紙を縦に並べた物であり、各用紙と画像領域の位置関係を示している。始頁、中頁、終頁に於いて右余白、下余白は同一であり、画像領域が用紙の対角線に沿って小さくなって行き、各頁を開いた時にめくった用紙による不可視領域が無く、見栄えの良い冊子が生成できる。図１４はダブルステイプル時の始頁、中頁、終頁の用紙を縦に並べた物であり、各用紙と画像領域の位置関係を示している。始頁、中頁、終頁に於いて右余白は同一であり、綴じ代は始頁が一番小さく、中頁に行くにつれて大きくなり中頁が最大となる。そして終頁に行くにつれて小さくなり終頁は始頁同様最小となる。画像領域は綴じ代が大きくなるにつれ縮小される。その結果、どのページを開いても左余白部が同等サイズとなり、各ページを開いた時にめくった用紙による不可視領域が無く、見栄えの良い冊子が生成できる。図１５（ａ）は中綴じカット有時の冊子化した状態での中央頁、端頁、その中間頁の用紙を縦に並べた物であり、各用紙と画像領域の位置関係を示している。いずれのページに於いても、右余白、上余白、下余白、画像領域は等しくなり、綴じ代は中央頁が最小となり、端頁に行くにつれて大きくなり、端頁が最大となる。その結果、どのページを開いても左余白部が同等に見えるため、各ページを開いた時にめくった用紙による不可視領域が無く見栄えの良い冊子が生成できる。図１５（ｂ）は中綴じカット無時の冊子化した状態での中央頁、端頁、その中間頁の用紙を縦に並べた物であり、各用紙と画像領域の位置関係を示している。いずれのページに於いても、右余白は等しくなり、綴じ代は中央頁が最小となり、端頁に行くにつれて大きくなり、端頁が最大となる。画像領域は中央頁が最大となり、端頁に行くにつれて小さくなり、端頁が最小となる。その結果、どのページを開いても左余白部が同等に見えるため、各ページを開いた時にめくった用紙による不可視領域が無く見栄えの良い冊子が生成できる。図１６は糊付け背表紙時の始頁、中頁、終頁の用紙を縦に並べた物であり、各用紙と画像領域の位置関係を示している。始頁、中頁、終頁に於いて右余白は同一であり、綴じ代は始頁が一番小さく、中頁に行くにつれて大きくなり中頁が最大となる。そして終頁に行くにつれて小さくなり終頁は始頁同様最小となる。画像領域は綴じ代が大きくなるにつれ縮小される。その結果、どのページを開いても左余白部が同等サイズとなり、各ページを開いた時にめくった用紙による不可視領域が無く、見栄えの良い冊子が生成できる。
【００７４】
尚、上記実施形態では、複写機本体２００に後処理装置２９を接続した装置で説明したが、複写機本体と後処理装置が一体化されているものや、複写機本体で出力したものを後処理装置を別の装置として用意されたもので後処理する場合についても本発明を適用することができる。
【００７５】
【発明の効果】
以上のように、本発明によれば、コーナーステイプル、ダブルステイプル、中綴じ、背表紙糊付け等の後処理モードが選択された際、それぞれの後処理モードに最適な綴じ代算出方法、画像サイズ算出方法により、出力される各用紙に対し綴じ代と画像サイズを調整することで、完成した冊子の各ページを開いた際の見栄を良くすることが可能となる。
【図面の簡単な説明】
【図１】実施形態のデジタル複写機の断面図である。
【図２】図１における制御部のブロック図である。
【図３】図２における画像処理部のブロック図である。
【図４】図２における画像メモリ部のブロック図である。
【図５】図３における外部Ｉ／Ｆ処理部の構成図である。
【図６】実施の形態のコーナーステイプル時の綴じ代領域、画像サイズ算出方法を説明する図である。
【図７】実施の形態のダブルステイプル時の綴じ代領域、画像サイズ算出方法を説明する図である。
【図８】実施の形態の中綴じカット有時の綴じ代領域、画像サイズ算出方法を説明する図である。
【図９】実施の形態の中綴じカット無時の綴じ代領域、画像サイズ算出方法を説明する図である。
【図１０】実施の形態の背表紙糊付時の綴じ代領域、画像サイズ算出方法を説明する図である。
【図１１】実施の形態の後処理モード選択時の綴じ代、画像サイズ算出時のフローチャート。
【図１２】実施の形態の後処理モード選択時の綴じ代、画像サイズ算出時のフローチャート。
【図１３】実施の形態のコーナーステイプル時の完成冊子の用紙と画像領域の位置関係を示す図。
【図１４】実施の形態のダブルステイプル時の完成冊子の用紙と画像領域の位置関係を示す図。
【図１５】（ａ）は実施の形態の中綴じカット有時の完成冊子の用紙と画像領域の位置関係を示す図。（ｂ）は実施の形態の中綴じカット無時の完成冊子の用紙と画像領域の位置関係を示す図。
【図１６】実施の形態の背表紙糊付時の完成冊子の用紙と画像領域の位置関係を示す図。
【図１７】後処理モード一覧を示す図。
【図１８】従来例のダブルステイプル時の完成冊子の用紙と画像領域の位置関係を示す図。
【図１９】従来例の中綴じ時の完成冊子の用紙と画像領域の位置関係を示す図。
【図２０】従来例の中綴じカット有時の完成冊子の用紙と画像領域の位置関係を示す図。
【符号の説明】
１　リーダ部
２　プリンタ部
３　画像メモリ部
４　外部Ｉ／Ｆ処理部
６　自動原稿送り装置
１６　１枚目の用紙
１７　２枚目の用紙
１９　ステイプラー
２０　折り曲げバー
２１　引き込みローラ
１７０　画像処理部
１７１　ＣＰＵ
１７２　操作部
１７３　Ｉ／Ｏ
１７４　ＲＯＭ
１７５　ＲＡＭ
２００　デジタル複写機本体
２０２　スキャナ
２０８　イメージセンサ部
２１０　画像形成部
２１１　感光ドラム
２１３　現像器
２１４　露光ランプ
２１５　クリーニング装置
２３７　排紙フラッパ
２３８　搬送パス
２３９　反転パス
２４４　排出ローラ
２４５　反転ローラ
２９０　排紙処理装置
２９２，２９３　排紙トレイ
【図１】
2004066582.tif 000003
【図２】
2004066582.tif 000004
【図３】
2004066582.tif 000005
【図４】
2004066582.tif 000006
【図５】
2004066582.tif 000007
【図６】
2004066582.tif 000008
【図７】
2004066582.tif 000009
【図８】
2004066582.tif 000010
【図９】
2004066582.tif 000011
【図１０】
2004066582.tif 000012
【図１１】
2004066582.tif 000013
【図１２】
2004066582.tif 000014
【図１３】
2004066582.tif 000015
【図１４】
2004066582.tif 000016
【図１５】
2004066582.tif 000017
【図１６】
2004066582.tif 000018
【図１７】
2004066582.tif 000019
【図１８】
2004066582.tif 000020
【図１９】
2004066582.tif 000021
【図２０】
2004066582.tif 000022